(57)【要約】【課題】  無線ＬＡＮを搭載したモバイル機器をユーザが正しく容易に接続できる情報処理装置等を提供する。【解決手段】  無線ネットワークに登録されていない無線通信手段搭載の機器から前記アクセスポイントに対して接続しようとした時に接続しようとした前記無線通信手段搭載の機器のＩＤを記憶しておく記憶工程（ステップＳ４０３）と、前記ＩＤのログを無線ネットワークを介して配布する配布工程（ステップＳ４０４）と、無線通信手段搭載の機器が前記配布工程において前記ＩＤを配布された前記印刷装置にアドホックモードで接続しようとした時にその機器のＩＤと前記配布された前記ログとを比較する比較工程（ステップＳ４０７）と、前記比較工程において比較した結果、ＩＤが前記ログと一致した場合、警告を行う警告工程（ステップＳ４０８）と、を有する。【選択図】  図２
2008022162.tif 000002
【特許請求の範囲】
【請求項１】
無線ネットワークを介して、無線通信手段に対応したアクセスポイントと、印刷装置と、が通信可能に接続された情報処理システムであって、
前記無線ネットワークに登録されていない無線通信手段搭載の機器から前記アクセスポイントに対して接続しようとした時に接続しようとした前記無線通信手段搭載の機器のＩＤを記憶しておく記憶手段と、
前記ＩＤのログを前記無線ネットワークを介して配布する配布手段と、
無線通信手段搭載の機器が前記配布手段に前記ＩＤを配布された前記印刷装置にアドホックモードで接続しようとした時にその機器のＩＤと前記配布された前記ログとを比較する比較手段と、
前記比較手段の比較した結果、ＩＤが前記ログと一致した場合、警告を行う警告手段と、を備えたことを特徴とする情報処理システム。
【請求項２】
前記警告手段は、前記印刷装置の表示部に警告を表示する表示警告手段又は前記印刷装置において音声で警告を発信する発信警告手段のいずれかで構成されることを特徴とする請求項１に記載の情報処理システム。
【請求項３】
無線ネットワークを介して、無線通信手段に対応したアクセスポイントと、印刷装置と、が通信可能に接続された情報処理システムにおける情報処理方法であって、
前記無線ネットワークに登録されていない無線通信手段搭載の機器から前記アクセスポイントに対して接続しようとした時に接続しようとした前記無線通信手段搭載の機器のＩＤを記憶しておく記憶工程と、
前記ＩＤのログを前記無線ネットワークを介して配布する配布工程と、
無線通信手段搭載の機器が前記配布工程において前記ＩＤを配布された前記印刷装置にアドホックモードで接続しようとした時にその機器のＩＤと前記配布された前記ログとを比較する比較工程と、
前記比較工程において比較した結果、ＩＤが前記ログと一致した場合、警告を行う警告工程と、を有することを特徴とする情報処理方法。
【請求項４】
請求項３に記載の方法の各工程をコンピュータにて実施させることを特徴とするプログラム。
【発明の詳細な説明】
【技術分野】
【０００１】
本発明は、無線ＬＡＮ等を備え、ネットワークを介してホスト装置からの情報に基づいて文字や図形、ラスターイメージなどの情報を処理し、印刷できる印刷装置を有する情報処理システムに関する。
【背景技術】
【０００２】
従来、インフラストラクチャモードに設定されている無線ＬＡＮに新規で参加する無線ＬＡＮ機器などは、手続きや設定を終えてから参加可能になり参加するものである。しかしながら、前記設定を行なわず無線ＬＡＮに参入しようとするユーザも存在するのが現状である。
【０００３】
また、インフラストラクチャモードで設定されている個々の無線ＬＡＮ機器にアドホックモードで接続しようとするユーザも存在するのが現状である。
【０００４】
そして、接続できなければその接続行為もそこで終了してしまうのが現状である。
【０００５】
【特許文献１】特開２００４−２２９２３７号公報
【発明の開示】
【発明が解決しようとする課題】
【０００６】
しかしながら上記従来例では、このようなユーザには、自分が持っている無線ＬＡＮ搭載のモバイル機器を、その参加しようとしているネットワークや接続しようとしている印刷装置等に正常に接続手続きを行なった上で通信することを伝えることができなかった。
【０００７】
本発明は、上記課題を解決するためになされたもので、無線ＬＡＮを搭載したモバイル機器をユーザが正しく容易に接続できる情報処理装置等を提供することを目的とする。
【課題を解決するための手段】
【０００８】
本発明の情報処理システムは、無線ネットワークを介して、無線通信手段に対応したアクセスポイントと、印刷装置と、が通信可能に接続された情報処理システムであって、前記無線ネットワークに登録されていない無線通信手段搭載の機器から前記アクセスポイントに対して接続しようとした時に接続しようとした前記無線通信手段搭載の機器のＩＤを記憶しておく記憶手段と、前記ＩＤのログを前記無線ネットワークを介して配布する配布手段と、無線通信手段搭載の機器が前記配布手段に前記ＩＤを配布された前記印刷装置にアドホックモードで接続しようとした時にその機器のＩＤと前記配布された前記ログとを比較する比較手段と、前記比較手段の比較した結果、ＩＤが前記ログと一致した場合、警告を行う警告手段と、を備えたことを特徴とする。
また、本発明の情報処理方法は、無線ネットワークを介して、無線通信手段に対応したアクセスポイントと、印刷装置と、が通信可能に接続された情報処理システムにおける情報処理方法であって、前記無線ネットワークに登録されていない無線通信手段搭載の機器から前記アクセスポイントに対して接続しようとした時に接続しようとした前記無線通信手段搭載の機器のＩＤを記憶しておく記憶工程と、前記ＩＤのログを前記無線ネットワークを介して配布する配布工程と、無線通信手段搭載の機器が前記配布工程において前記ＩＤを配布された前記印刷装置にアドホックモードで接続しようとした時にその機器のＩＤと前記配布された前記ログとを比較する比較工程と、前記比較工程において比較した結果、ＩＤが前記ログと一致した場合、警告を行う警告工程と、を有することを特徴とする。
また、本発明のプログラムは、上記に記載の方法の各工程をコンピュータにて実施させることを特徴とする。
【発明の効果】
【０００９】
本発明によれば、ユーザが正式な接続手順を踏まず既存の無線ＬＡＮに接続しようとしたとき、接続できないことをユーザに伝え、また正式な接続手順（方法）も伝えることが可能である。
【発明を実施するための最良の形態】
【００１０】
以下、本発明の実施形態について、図面を参照しながら説明する。図１は、本実施形態による情報処理システムの構成を好適に示す図である。
【００１１】
本実施形態によるシステムは、図１に示すように、アクセスポイント１０１と、モバイル機器ホスト１０２と、無線ＬＡＮ搭載のＨＯＳＴ−Ａ１０３と、無線ＬＡＮ搭載の印刷装置Ａ１０５と、無線ＬＡＮ搭載の印刷装置Ｂ１０４と、から構成されている。
【００１２】
次に、図２は図１の構成でモバイル機器ホスト１０２が既存のＬＡＮに接続しようとするフローを示したものである。以下、図２を用いながら図１を説明する。
【００１３】
まず、ステップＳ４０１では、既存の無線ＬＡＮのアクセスポイント１０１に対して、モバイル機器ホスト１０２が接続を試みてくる。
【００１４】
しかし、正式な設定および認証を行なっていないので当然接続できない（ステップＳ４０２）。この時、アクセスポイント１０１はこのモバイル機器ホスト１０２のＩＤを保持する（ステップＳ４０３）。そして、既存の無線ＬＡＮに接続している無線機器（この場合は、無線ＬＡＮ搭載のＨＯＳＴ−Ａ１０３、無線ＬＡＮ搭載の印刷装置Ａ１０５、無線ＬＡＮ搭載の印刷装置Ｂ１０４）にＩＤログを送信配付する（ステップＳ４０４）。
【００１５】
次に、モバイル機器ホスト１０２がアドホックモードで、無線ＬＡＮ搭載の印刷装置Ａ１０５に接続を試みる（ステップＳ４０５）。
【００１６】
しかし、正式な設定および認証を行なっていないので当然接続できない（ステップＳ４０６）。この時、無線ＬＡＮ搭載の印刷装置Ａ１０５は、ステップＳ４０４で配付されたＩＤログとアドホックモードで接続しようとしているモバイル機器ホスト１０２のＩＤを照会する（ステップＳ４０７）。
【００１７】
モバイル機器ホスト１０２が該当するＩＤの機器であれば、無線ＬＡＮ搭載の印刷装置Ａ１０５は自身の表示パネル部に警告文と正式な接続手順方法を表示して（ステップＳ４０８）、モバイル機器ホスト１０２のユーザに正式な接続を促す。
【００１８】
次に、図３は、図２で説明したステップＳ４０８での、警告表示の一例を示すものである。モバイル機器ユーザにわかりやすいように、表示部全体がフラッシュするものであってもよい。
【００１９】
次に、図４について説明する。図４は、前述の図２を説明するフローの中で、アクセスポイント１０１がモバイル機器ホスト１０２のＩＤを保持するステップＳ４０３があるが、この時のＩＤログを詳細に表す図である。
【００２０】
図４の中で、ＩＤは、既存の無線ＬＡＮに正式な設定および認証を行なっていない状態で接続してきた無線機器の固有のＩＤである。ＳＴＡＴＵＳは、その接続自体が不正かどうかを表す。ＴＩＭＥは、接続してきた時間をそれぞれ表す。
【００２１】
次に、本発明の変形例の説明を加える。図３のように、印刷装置の表示部に警告と正式な接続手順を表示する場合、表示部全体がフラッシュしてユーザにとってはっきり確認できる方法を述べたが、ブザー音または音声でユーザに伝える方法をとってもよい。
【００２２】
また、表示部に表示する警告文と正式な接続手順を印刷装置自身で印刷出力することも可能である。
【００２３】
また、印刷装置Ａ１０５や印刷装置Ｂ１０４の出力部は、レーザ印刷装置のほかにインクジェット印刷装置、熱転写印刷装置（ＭＦＰ、ＳＦＰなど）などであってもよい。更に、カラー印刷を行なう場合にも同様に適用可能である。
【００２４】
また、実施形態では無線ＬＡＮとしているが、Ｂｌｕｅｔｏｏｔｈの場合でも適用することが可能である。
【００２５】
また、コピー機能、ＦＡＸ機能をもったマルチファンクションデバイスであってもよい。
また、２値出力の印刷装置に限らず、多値出力の印刷装置であってもよい。
【図面の簡単な説明】
【００２６】
【図１】本発明の実施の形態に係る情報処理システムの構成を示す図である。
【図２】本発明の実施の形態に係る情報処理システムにおける処理手順を説明するためのフローチャートである。
【図３】本発明の実施の形態に係る情報処理システムにおいて表示する警告表示の一例を示す図である。
【図４】本発明の実施の形態に係る情報処理システムにおけるＩＤ情報を説明するための図である。
【符号の説明】
【００２７】
１０１  アクセスポイント
１０２  モバイル機器ホスト
１０３  無線ＬＡＮ搭載のＨＯＳＴ−Ａ
１０４  無線ＬＡＮ搭載の印刷装置Ａ
１０５  無線ＬＡＮ搭載の印刷装置Ｂ
【図１】
2008022162.tif 000003
【図２】
2008022162.tif 000004
【図３】
2008022162.tif 000005
【図４】
2008022162.tif 000006